(57)【要約】【課題】  光ピックアップの低温動作時のハーフミラーの歪を抑制して各種の光ディスクに対するジット特性を改善する。【解決手段】  発光素子３２の出射光を記録媒体Ｄに導き、記録媒体Ｄで反射した戻り光を受光素子３３に導くハーフミラー４を、接着剤６１，６２にてベース１に２点で接合する。２点の接合箇所として、矩形のハーフミラー４の４つのコーナａ，ｂ，ｃ，ｄのうちの１つのコーナａにおける厚さ方向中間部の第１位置５１と、そのコーナａに対して対角方向の他の１つのコーナｃにおける入光面側出隅部の第２位置５２とを選択し、第２位置５２の接着剤６２に、第１位置５１の接着剤６１よりもヤング率の小さい接着剤を使用する。【選択図】        図１
2006351076.tif 000002
【特許請求の範囲】
【請求項１】
発光素子の出射光を記録媒体に導き、記録媒体で反射した戻り光を受光素子に導くハーフミラーを、接着剤にてベースに２点で接合してなる光ピックアップにおいて、
上記２点の接合箇所として、矩形の上記ハーフミラーの４つのコーナのうちの１つのコーナにおける厚さ方向中間部の第１位置と、そのコーナに対して対角方向の他の１つのコーナにおける入光面側出隅部の第２位置とが選択され、第２位置の接着剤に、第１位置の接着剤よりもヤング率の小さい接着剤を使用して第２位置での応力を緩和してあることを特徴とする光ピックアップ。
【請求項２】
発光素子の出射光を記録媒体に導き、記録媒体で反射した戻り光を受光素子に導くハーフミラーを、接着剤にてベースに２点で接合してなる光ピックアップにおいて、
上記２点の接合箇所として、矩形の上記ハーフミラーの４つのコーナのうちの１つのコーナにおける厚さ方向中間部の第１位置と、そのコーナに対して対角方向の他の１つのコーナにおける入光面側出隅部の第２位置とが選択され、第１位置の接着剤と第２位置の接着剤とが異なるヤング率を有していることを特徴とする光ピックアップ。
【請求項３】
第１位置の接着剤のヤング率よりも第２位置の接着剤のヤング率が小さい請求項２に記載した光ピックアップ。
【発明の詳細な説明】
【技術分野】
【０００１】
本発明は、光ピックアップ、詳しくは、発光素子の出射光を記録媒体（光ディスク）に導き、その記録媒体で反射した戻り光を受光素子に導くハーフミラーを、接着剤でベースに２点で接合してある光ピックアップに関する。
【背景技術】
【０００２】
従来、光ピックアップの光学部品の一例である三角形のガラス製のミラーとアルミ合金製のハウジング（基台）とを、可撓性を有しない接着剤と可撓性を有する接着剤を用いて上記ミラーの１つの平面内の２点で固定しておき、可撓性を有しない接着剤によってミラーを拘束させてミラーの位置ずれや倒れを防ぎ、周囲温度が変化した際のミラーと基台との線膨張係数の差によって生じる応力を、可撓性を有する接着剤によって吸収させるという技術が提案されていた（たとえば、特許文献１参照）。また、この特許文献１には、可撓製を有しない接着剤及び可撓性を有する接着剤として、２液混合型エポキシ系接着剤を使用することが考えられる、と記載されている。
【０００３】
また、ハーフミラーを３点で接着した場合に起こり得る位置ずれの問題を、２点で接着することによって防止するという技術（たとえば、特許文献２参照）や、平板状のハーフミラーのエポキシ系の熱硬化型接着剤で２点で接合して装置フレームに搭載する技術（たとえば、特許文献３参照）も提案されていた。さらに、光学ヘッドの回折格子を位置ずれなく接着剤で接合する技術も提案されていた（たとえば、特許文献４参照）。
【０００４】
一方、ＤＶＤドライブなどの光ディスク装置に用いられて記録媒体としてのディスクの記録面を走査する光ピックアップでは、図３に概略平面図で示したように、ベース１には、コリメータレンズの取付箇所である光通過孔２が形成されているほか、その光通過孔の形成箇所に関連付けられた発光素子（不図示）の取付箇所イ、ハーフミラー（不図示）の取付箇所ロや、反射板（不図示）の取付箇所ハ、受光素子（不図示）の取付箇所ニなどが定められている。そして、図４の光学系構成図で示したように、レーザダイオードでなる発光素子３２の出射光がハーミラー４によりコリメータレンズ３５に導かれて平行光束となり、さらに対物レンズ３１を透過して記録媒体としての光ディスクＤに照射され、その光ディスクで反射した戻り光が対物レンズ３１、コリメータレンズ３５、ハーフミラー４を経て受光素子３３に導かれる。そして、光ディスクＤの反りや偏心などに伴う光ディスクＤと対物レンズ３１との位置関係の変化を補正するために、レンズホルダー３を駆動部３６の作用によって光ディスクＤに対するフォーカス方向及びトラッキング方向に変位制御することが行われる。
【０００５】
ところで、本願発明者は、図３又は図４を参照して説明した構成を備える光ピックアップにおいて、図５に説明的に示した一定厚さを有する矩形のハーフミラー４の４つのコーナａ，ｂ，ｃ，ｄのうちの１つの上側コーナａにおける厚さ方向中間部の第１位置５１と、そのコーナａに対して対角方向の他の１つの下側コーナｃにおける入光面側出隅部の第２位置５２と、他の１つの上側コーナｄにおける厚さ方向中間部の第３位置５３とを選択し、それらの各位置５１，５２，５３の３点を接着剤による接合位置として定めて接着剤でベース１（図３参照）に固定したものを用意した上で、各種の光ディスクに対する２５℃での常温時と−５℃での低温時とで動作試験を行ってＪＩＴＴ特性（ジット特性）を調査した。そして、この調査を行った結果、ほとんどの光ディスクについて常温時よりも低温時でジット特性が低下していることを突き止めた。また、−５℃の低温動作試験でＪＩＴＴ（ジット）特性が悪化する原因の１つに、ハーフミラー４の低温時の歪があり、そのような歪が発生する理由として、樹脂製のベース１の収縮、ハーフミラー４をベースに接合している接着剤の収縮、ハーフミラー４自体の収縮などがあると考えられた。
【０００６】
これに対し、上掲の特許文献１では、三角形のガラス製のミラーを、可撓性を有しない接着剤と可撓性を有する接着剤とを用いて当該ミラーの１つの平面内の２点で固定することにより、周囲温度が変化した際のミラーと基台との線膨張係数の差によって生じる応力を、可撓性を有する接着剤によって吸収させることができる、としているけれども、この特許文献１には、矩形のハーフミラーについての低温動作試験でジット特性の悪化を抑制するための対策は示されておらず、また、特許文献１によってそのような対策が示唆されているものでもない。
【０００７】
また、特許文献２によって提案されている技術は、ハーフミラーをベースに固定する際の位置ずれの問題を解消することに役立つ技術であり、特許文献３によって提案されている技術も、ハーフミラーをベースに固定する際に役立つ技術であり、さらに、特許文献４によって提案されている技術は、光学ヘッドの回折格子を位置ずれなく接着剤で接合する技術である。したがって、これらの技術によっては、矩形のハーフミラーの低温動作時のジット特性を改善することはできない。
【特許文献１】特開昭６３−２６９３２３号公報
【特許文献２】特開２００２−３４２９４６号公報
【特許文献３】特開２００５−４４３９８号公報
【特許文献４】特開２００３−１４１７４８公報
【発明の開示】
【発明が解決しようとする課題】
【０００８】
本発明は以上の状況の下でなされたものであり、接着剤の種類や接着剤による接合位置に工夫を講じることにより、光ピックアップの低温動作時にハーフミラーに発生する歪を抑制して各種の光ディスクに対するジット特性を改善することのできる光ピックアップを提供することを目的とする。
【課題を解決するための手段】
【０００９】
本発明に係る光ピックアップは、発光素子の出射光を記録媒体に導き、記録媒体で反射した戻り光を受光素子に導くハーフミラーを、接着剤にてベースに２点で接合してなる光ピックアップにおいて、上記２点の接合箇所として、矩形の上記ハーフミラーの４つのコーナのうちの１つのコーナにおける厚さ方向中間部の第１位置と、そのコーナに対して対角方向の他の１つのコーナにおける入光面側出隅部の第２位置とが選択され、第１位置の接着剤と第２位置の接着剤とが異なるヤング率を有しているというものである。
【００１０】
この構成を採用することにより、ヤング率の大きな接着剤がハーフミラーをベースの固定に主に役立ち、ヤング率の小さな接着剤がベースの歪がハーフミラーに及んでそのハーフミラーが歪むことを抑制することに主に役立つ。そして、このことと、２点の接合箇所として上記した第１位置と第２位置とを選択したこととが相乗して、低温時のジット特性が常温時のジット特性に比べてそれほど低下しなくなることを確認できた。
【００１１】
本発明において、第１位置の接着剤のヤング率と第２位置の接着剤のヤング率とを異ならせる場合に、第１位置の接着剤のヤング率よりも第２位置の接着剤のヤング率が小さくすることが望ましく、そのようにすることによって、後述する実施形態で説明するように、低温動作時のジット特性が確実に改善される。
【００１２】
本発明に係る光ピックアップは、発光素子の出射光を記録媒体に導き、記録媒体で反射した戻り光を受光素子に導くハーフミラーを、接着剤にてベースに２点で接合してなる光ピックアップにおいて、上記２点の接合箇所として、矩形の上記ハーフミラーの４つのコーナのうちの１つのコーナにおける厚さ方向中間部の第１位置と、そのコーナに対して対角方向の他の１つのコーナにおける入光面側出隅部の第２位置とが選択され、第２位置の接着剤に、第１位置の接着剤よりもヤング率の小さい接着剤を使用して第２位置での応力を緩和してある、という構成を採用することによっていっそう具体化される。
【発明の効果】
【００１３】
以上のように、本発明によれば、接着剤の種類や接着剤による接合位置に工夫を講じるだけで、光ピックアップの低温動作時にハーフミラーに発生する歪を抑制して各種の光ディスクに対するジット特性が改善された光ピックアップを提供することが可能になる。言い換えると、非寒冷地域で使用する際は勿論、寒冷地域での使用に際しても光ディスクに対する読み書き性能が安定し、使用環境温度の変化によって光ディスクに対する読み書き性能の安定性が損なわれにくい光ピックアップを提供することが可能になる。
【発明を実施するための最良の形態】
【００１４】
図１は本発明に係る光ピックアップでのハーフミラーの接着剤による接合箇所とその数とを示した説明図、図２は本発明の効果を説明するための動作試験結果を示した図面代用の表である。
【００１５】
この光ピックアップの全体構成は、図３または図４を参照して説明したところと同様である。そして、この光ピックアップでは、ベース１（図３参照）に対する接着剤によるハーフミラー４の接合箇所として、図１のように、矩形のハーフミラーの４つのコーナａ，ｂ，ｃ，ｄのうちの１つの上側コーナａにおける厚さ方向中間部、より具体的には厚さ方向中央部の第１位置５１と、そのコーナａに対して対角方向の他の１つの下側コーナｃにおける入光面側出隅部の第２位置５２との２点を選択してある。そして、第１位置５１の接着剤６１と第２位置の接着剤６２とが異なるヤング率を有している。具体的には、第２位置５２の接着剤６２に、第１位置５１の接着剤６１よりもヤング率の小さい接着剤６２を使用して第２位置５２での応力を緩和してある。
【００１６】
上記の形態でハーフミラー４をベース１（図３参照）に２点で接合した光ピックアップ（発明品）を用い、様々な光ディスクについての常温時（２５℃）でのハーフミラーの歪率と低温時（−５℃）でのハーフミラーの歪率とを調査する試験を行い、その結果を、図５で説明した形態でベースに接合されたハーフミラー４を有する光ピックアップ（参考例）と比較した。その結果を図２に示してある。なお、図２において、試験に用いた光ディスクの種類をＡ〜Ｉで示してあり、それらは、一般的に市販されている種類の光ディスクである。
【００１７】
図２によると、参考例では、ハーフミラーの歪率が、光ディスクＨを除くすべてについて常温時よりも低温時で大きくなっているのに対し、発明品では、ハーフミラーの歪率が、光ディスクＡ〜Ｅについては常温時よりも低温時で大きくなっているものの、他の光ディスクＦ〜Ｉについては常温時よりも低温時で小さくなっている。すなわち、光ディスクＦ〜Ｉについては常温時よりも低温時でジット特性が向上している。また、常温時と低温時との歪率の変化量を発明品と参考例とで比較すると、光ディスクＣを除くすべてについて、発明品が参考例よりも小さくなっている。このことにより、発明品は、ジット特性が参考例よりも向上しており、非寒冷地域で使用する際は勿論、寒冷地域での使用に際しても光ディスクに対する読み書き性能が安定し、使用環境温度の変化によって光ディスクに対する読み書き性能の安定性が損なわれにくいということが云える。
【００１８】
なお、本発明において、接着剤の種類は特に限定されず、エポキシ系、アクリル系などの接着剤を適宜選択使用することができ、また、ヤング率が異なるものであれば、同種の接着剤を２点の接合箇所に使用することができる。
【図面の簡単な説明】
【００１９】
【図１】本発明に係る光ピックアップでのハーフミラーの接着剤による接合箇所などを示した説明図である。
【図２】本発明の効果を説明するための動作試験結果を示した図面代用の表である。
【図３】光ピックアップのベースの概略平面図である。
【図４】光ピックアップの光学系構成図である。
【図５】参考例に採用したハーフミラーの接着剤による接合箇所などを示した説明図である。
【符号の説明】
【００２０】
１  ベース
４  ハーフミラー
３２  発光素子
３３  受光素子
５１  第１位置
５２  第２位置
６１，６２  接着剤
ａ，ｂ，ｃ，ｄ  ハーフミラーの４つのコーナ
Ｄ  光ディスク（記録媒体）
【図１】
2006351076.tif 000003
【図２】
2006351076.tif 000004
【図３】
2006351076.tif 000005
【図４】
2006351076.tif 000006
【図５】
2006351076.tif 000007